(57)【要約】【課題】  肩部に放射リブと陥没部とを設けた合成樹脂製容器において、肩部下端部と放射リブとの連設部分に、押し下げ荷重に伴う応力が集中作用しないようにすることにより、この種の合成樹脂製容器の肩部の座屈強度を向上させることを目的とする。【解決手段】  等中心角毎に放射状に下降傾斜した三角突条状の放射リブ５を形成した肩部４において、各放射リブ５の下端部の稜線部分を、円弧状に角取りして、円弧突条状の角取り端部６に形成し、放射リブ５の下端であるリブ端縁７を円弧状として、押し下げ荷重作用時に、応力が、リブ下端縁７に点状に局部集中して作用するのを防止する。【選択図】  図３
2008247430.tif 000002
【特許請求の範囲】
【請求項１】
ボトル状容器のテーパー筒状をした肩部に、下降傾斜した三角突条状の放射リブを複数設け、該放射リブを等中心角毎に配置し、前記各放射リブの下端部を、稜線部分を円弧状に角取りして、円弧突条状の角取り端部に形成し、該角取り端部の下端縁であるリブ下端縁を円弧状とした合成樹脂製容器。
【請求項２】
角取り端部の角取り部分の曲率半径を、前記角取り端部の下端に近づくに従って大きくした請求項１記載の合成樹脂製容器。
【請求項３】
放射リブの稜線部分の曲率半径を、シャープな外観を現出する０．５ｍｍ以下に設定し、角取り端部のリブ下端縁の円弧部分の曲率半径を、１．０〜３．０ｍｍに設定した請求項１または２記載の合成樹脂製容器。
【請求項４】
角取り端部の長さを、放射リブの全体長さの２０％以下とした請求項１〜３の何れか１項に記載の合成樹脂製容器。
【請求項５】
ポリエチレンテレフタレート樹脂により透明に２軸延伸ブロー成形された請求項１〜４の何れか１項に記載の合成樹脂製容器。
【発明の詳細な説明】
【技術分野】
【０００１】
本発明は、肩部の外観を好ましいものとするデザインとして、比較的深い、放射状の凹凸を肩部に刻設状に設けた、ボトル状の合成樹脂製容器に関するものである。
【背景技術】
【０００２】
ポリエチレンテレフタレート樹脂製２軸延伸ブロー成形ボトル等の、合成樹脂製容器にあっては、主としてその優れた透明性による光学効果を利用して、好ましい外観を得る目的で、肩部に比較的深い放射状の凹凸を刻設状に設けて、デザインしたものが知られている。
【０００３】
その代表的なものは、図６に示すように、２軸延伸ブロー成形された、ボトル状の合成樹脂製容器の肩部ｂに、複数の陥没部ｄを設けることにより、この陥没部ｄの間に、等中心角毎に三角突条状の放射リブｃを残存形成した構成となっている。
【０００４】
この上記した従来技術にあっては、放射リブｃと陥没部ｄとにより、比較的深い凹凸を形成し、これにより面白味のある外観体裁と、変化のある光学的な装飾効果を得ることができるものとなっている。
【発明の開示】
【発明が解決しようとする課題】
【０００５】
しかしながら、上記した従来技術にあっては、容器に押し下げ荷重が作用すると、陥没部ｄの底壁に対する放射リブｃの下端縁の連設部分の内、稜線部分の下端である角状となった部分ａが折れて座屈してしまう、と云う問題があった。
【０００６】
これは、容器に作用した押し下げ荷重を支える放射リブｃが、図８に示す断面形状を有し、この断面形状のまま陥没部ｄの底壁に連設するので、この放射リブｃと陥没部ｄの底壁との連設部分は、図７に示すように、折れ曲がり構造となるため、放射リブｃに作用する応力が、角状となっている部分ａに局部的に集中するからである。
【０００７】
そこで、本発明は、上記した従来技術における問題点を解消すべく創案されたもので、肩部に放射リブを設けた合成樹脂製容器において、陥没部の底壁と放射リブとの連設部分の角状部分に、押し下げ荷重に伴う応力が集中作用しないようにすることを技術的課題とし、もってこの種の合成樹脂製容器の肩部の座屈強度を向上させることを目的とする。
【課題を解決するための手段】
【０００８】
本発明による合成樹脂製容器は、テーパー筒状をした肩部に、下降傾斜した三角突条状の放射リブを複数設け、この放射リブを等中心角毎に配置したものである。
【０００９】
肩部の各放射リブは、その下端部の稜線部分を、円弧状に角取りして、円弧突条状の角取り端部に形成している。
【００１０】
この角取り端部の下端縁は、各放射リブ間に形成された陥没部の底壁と、放射リブの下端部との連設部分であるリブ下端縁を形成することになるが、角取り端部が円弧突条状となっているので、リブ下端縁は、折れ曲がり部分を有さない円弧状となる。
【００１１】
それゆえ、容器に押し下げ荷重が作用した際に、肩部下端部である陥没部の底壁は、各放射リブに発生した応力を、角取り端部の円弧状となったリブ下端縁で支えることになり、これにより放射リブに発生した応力が点状の局部に集中して作用することが防止される。
【００１２】
本発明の別の構成は、角取り端部の角取り部分の曲率半径を、角取り端部の下端に近づくに従って大きくした、ものである。
【００１３】
角取り端部の曲率半径を、下端側に大きくしたものにあっては、リブ下端縁の曲率半径を、無理なく大きくすることができる。
【００１４】
また、本発明の別の構成は、放射リブの稜線部分の曲率半径を、シャープな外観を現出する０．５ｍｍ以下に設定し、角取り端部のリブ下端縁の円弧部分の曲率半径を、１．０〜３．０ｍｍに設定した、ものである。
【００１５】
放射リブの稜線部分の曲率半径を０．５ｍｍ以下に設定し、リブ下端縁の曲率半径を１．０〜３．０ｍｍに設定したものにあっては、放射リブのシャープな外観体裁を維持した状態で、リブ下端縁における座屈強度を充分に高めることができる。
【００１６】
また、本発明の別の構成は、角取り端部の長さを、放射リブの全体長さの２０％以下とした、ものである。
【００１７】
角取り端部の長さを、放射リブの全体長さの２０％以下としたものにあっては、放射リブの下端部分は、その突出高さが小さいがために、角部のシャープ感を出し難い部分であるので、この部分に角取り端部を形成しても、角取り端部のシャープ感の無さが、放射リブのシャープ感に悪影響を与えることは殆どない。
【００１８】
また、本発明の別の構成は、ポリエチレンテレフタレート樹脂により透明に２軸延伸ブロー成形された、ことにある。
【００１９】
容器を、ポリエチレンテレフタレート樹脂により透明に２軸延伸ブロー成形したものにあっては、放射リブの稜線部分のシャープ感が、光学的なクリスタル感を伴って鮮明に現出される。
【発明の効果】
【００２０】
本発明は、上記した構成となっているので、以下に示す効果を奏する。
本発明にあっては、押し下げ荷重により各放射リブに発生した応力は、肩部下端部となる陥没部の底壁の下端部が、角取り端部の下端縁であるリブ下端縁の円弧状部分で支えるので、放射リブに発生した応力が点状の局部に集中して作用することが防止され、円弧状部分に分散して支えられることになり、これにより座屈変形の発生が防止されて、肩部の座屈強度の向上が達成される。
【００２１】
角取り端部の曲率半径を、下端側に大きくしたものにあっては、リブ下端縁の曲率半径を、無理なく大きくすることができるので、それだけ放射リブに発生した応力を広い範囲に分散させて支えることができ、もってより大きな座屈強度の向上を得ることができる。
【００２２】
放射リブの稜線部分の曲率半径を０．５ｍｍ以下に設定し、リブ下端縁の曲率半径を１．０〜３．０ｍｍに設定したものにあっては、良好なデザイン性と充分な機械的強度を得ることができる。
【００２３】
角取り端部の長さを、放射リブの全体長さの２０％以下としたものにあっては、放射リブのシャープな外観に対する角取り端部の影響を、最小限に抑えることができるので、放射リブの優れた光学的装飾効果を、充分に発揮させることができる。
【００２４】
容器を、ポリエチレンテレフタレート樹脂により透明に２軸延伸ブロー成形したものにあっては、放射リブの稜線部分のシャープ感を、光学的なクリスタル感を伴って鮮明に現出するので、高い光学的な装飾効果をえることができる。
【発明を実施するための最良の形態】
【００２５】
以下、本発明の一実施形態例を、図面を参照しながら説明する。
【００２６】
図１は容器の全体正面図、図２はその要部拡大正面図、図３はその要部拡大平面図で、この容器は、ポリエチレンテレフタレート樹脂により、ボトル状に２軸延伸ブロー成形されている。
【００２７】
容器の胴部１０は、下端を底部で塞いだ有底円筒形状をしており、その上端部と下端部に設けた補強周溝１２の間の中央部分に、減圧吸収のための縦長なパネル壁１１が、周方向に沿って等間隔に六つ平行に設けられている。
【００２８】
この胴部１０の上端に、上方に縮径したテーパー筒状の肩部４を介して起立連設された口筒部１は、短円筒体の外周面に、上から順に、螺条２、ストップリングそしてネックリング３を設けて構成されている。
【００２９】
口筒部１と胴部１０との間に位置した、上方に縮径したテーパー筒形状の肩部４は、胴部１０との連設部分である下端部９を除いた部分に、１０個の陥没部８を刻設状に陥没設することにより、この陥没部８の間に、等中心角毎に放射状に下降傾斜した三角突条状の放射リブ５を、残存形成し、各放射リブ５の下端部の稜線部分を、円弧状に角取りして、円弧突条状の角取り端部６（図４参照）に成形して構成されている。
【００３０】
陥没部８の底壁および下端部９との連設箇所となる放射リブ５のリブ下端縁７、すなわち角取り端部６の下端縁は、円弧状に湾曲した形状となっているので、下端部８に対する放射リブ５の下端の連結は、点状ではなく幅をもって達成されることになる。
【００３１】
このように、陥没部８の底壁および下端部９に対する、放射リブ５の連設部分であるリブ下端縁７を、角取り端部６で構成することにより、陥没部８の底壁および下端部９に対する放射リブ５の連結は、従来のように点状ではなく、円弧状に幅を持って達成されることになり、これにより放射リブ５に発生する応力が、点状に局部集中することがなく、分散して作用することになるので、座屈強度が高くなる。
【００３２】
図５に、図１に示した本発明による容器と、図６に示した従来の容器との、座屈強度試験である、押し下げ荷重が作用した際の容器の全高変位量と荷重との関係を示す、測定結果線図を示す。
【００３３】
この座屈強度試験において、両容器は、全高が２１５ｍｍ、胴部９の最大径が６８ｍｍ、全内容積が５３１ｍｌ、空状態の重さが２８ｇであり、肩部の陥没部の陥没深さは０．８ｍｍ、肩部のテーパー面の曲率半径は１２０ｍｍ、そして放射リブ５の稜線部分の曲率半径が０．５ｍｍと同じであるが、本発明の容器にあっては、特有の構成部分である角取り端部６を、その角取り部分の曲率半径が、下端に近づくに従って大きくなるように構成し、リブ下端縁７の円弧部分の曲率半径を３．０ｍｍとしている。
【００３４】
図５中、特性曲線イは、本発明の容器の測定結果を、特性曲線ロは、従来の容器の測定結果を示しており、測定結果からすると、本発明の容器は、従来の容器と比較して、座屈強度が１７．７％向上した。
【図面の簡単な説明】
【００３５】
【図１】容器の一実施形態例を示す、全体正面図である。
【図２】図１に示した容器の、要部拡大正面図である。
【図３】図１に示した容器の、要部拡大平面図である。
【図４】図３中、Ａ−Ａ線に沿って切断矢視した、拡大縦断面図である。
【図５】従来技術との比較を示す、座屈強度試験結果の特性線図である。
【図６】容器の一従来例を示す、全体正面図である。
【図７】図６に示した容器の、要部拡大平面図である。
【図８】図７中、Ｂ−Ｂ線に沿って切断矢視した、拡大縦断面図である。
【符号の説明】
【００３６】
１  ；口筒部
２  ；螺条
３  ；ネックリング
４  ；肩部
５  ；放射リブ
６  ；角取り端部
７  ；リブ下端縁
８  ；陥没部
９  ；下端部
１０；胴部
１１；パネル壁
１２；補強周溝
ａ  ；部分
ｂ  ；肩部
ｃ  ；放射リブ
ｄ  ；陥没部
イ、ロ  ；特性曲線
【図１】
2008247430.tif 000003
【図２】
2008247430.tif 000004
【図３】
2008247430.tif 000005
【図４】
2008247430.tif 000006
【図５】
2008247430.tif 000007
【図６】
2008247430.tif 000008
【図７】
2008247430.tif 000009
【図８】
2008247430.tif 000010